(57)【要約】【課題】エコーチャンバーのマウスピース構造の提供。【解決手段】エコーチャンバーのマウスピース構造であって、特に、一般のマウスピース構造が生成する振動周波数がバッフルと竹片間で振動し、生成する楽器音声が特に美しいわけではないという問題に対し改善を加えたものである。管状のマウスピースは一側が斜め向けに延伸した外壁がバッフルを形成し、もう一側の結合面と、末端で交差して、上縁を形成し、結合面は上縁内側の外段で吹気口を形成し、吹気口とバッフル間は、上縁からエアーチャンバー内に第二バッフルを延伸し、バッフルとの挟角は音声が反響するエコーチャンバーを形成する。結合面は竹片を結合し、上縁と竹片の隙間からエアーチャンバーに吹入した気流は、バッフルと竹片間で相互に反響して振動周波数を生成し、再度、エコーチャンバー空間で反復して、長く、美しい自然な音を発し、楽器の吹奏が重厚で、円滑になる。【選択図】図３
0003140147.tif 000002
【実用新案登録請求の範囲】
【請求項１】
エコーチャンバーを有するマウスピース構造であって、一体成型した管状体の一側が斜め向けに延伸した外壁がバッフルを形成し、もう一側の削られた結合面と、末端で交わって、弧状端部の上縁を形成し、前記結合面は上縁内側の外段で、内部がエアーチャンバーに連通する吹気口を形成し、前記結合面が竹片を結合してなるもので、その特徴は、前記吹気口と前記バッフル間に、前記上縁から前記エアーチャンバー内に一片の前記バッフルと適当な挟角の第二バッフルを延伸し、前記バッフルと前記第二バッフル間の挟角は音声が反響するエコーチャンバーを形成することを特徴とするエコーチャンバーを有するマウスピース構造。
【請求項２】
前記第二バッフル内端は、下向けに垂直連接面を形成し、前記垂直連接面は、1つ、或いは、二個以上の共鳴孔を貫設して、前記エコーチャンバーと連通し、更に、もう1つの気流チャンネルを形成して、異なる音声周波数を生成することを特徴とする請求項１に記載のエコーチャンバーを有するマウスピース構造。
【請求項３】
前記第二バッフル上にも、1つ、或いは、二個以上の共鳴孔を貫設し、前記エコーチャンバー、及び、前記垂直面の共鳴孔と連通することを特徴とする請求項１、或いは、２に記載のエコーチャンバーを有するマウスピース構造。
【考案の詳細な説明】
【技術分野】
【０００１】
本考案は、エコー共鳴効果を生成するエコーチャンバーを有するマウスピース構造に関する。
【背景技術】
【０００２】
図１は、一般のサックスフォンのマウスピース構造の立体分解図であり、一体成型された管状のマウスピース１０は、一側が、斜め向けに外壁を延伸してバッフル１１を形成し、もう一側の削られた結合面と、末端で交わって、弧状端部の上縁１３を形成し、結合面１２は上縁内側の外段で、内部がボアに連通する吹気口１４１（図２）を形成し、結合面１２により竹片１６を結合する。
【０００３】
図２は一般のマウスピースの構造の断面図である。上述の一般のマウスピース１０構造の組み合わせは、上縁１３と竹片１６の隙間から吹入した気流がエアーチャンバー１４後に進入した後、外壁のバッフル１１と竹片１６間の反響により振動周波数を生成し、このような振動周波数が音声周波数をエアーチャンバー１４内部で生成して空間が振動し、楽器が楽音を発する。
【０００４】
上述のような一般のマウスピース構造が生成する振動周波数により、バッフル１１と竹片１６間のエアーチャンバー１４の内部空間の振動が生成する楽器の音は特に美しいわけではない。
【０００５】
よって、一般のマウスピースのバッフルと竹片の振動に対し、更に、美しい音色を発するようにするにはどうすればいいかが重要な課題である。
【考案の開示】
【考案が解決しようとする課題】
【０００６】
本考案の目的は、エコーチャンバーを有するマウスピース構造を提供し、バッフルと竹片間の相互反響が、再度、エコーチャンバー空間内で反復して更に長く、美しい音色を発するようにすることを目的とする。
【０００７】
本考案は、エコーチャンバーを有するマウスピース構造を提供し、エコーチャンバー構造の優れた共鳴作用により、楽器の吹奏を更に、重厚、円滑にすることをもう1つの目的とする。
【課題を解決するための手段】
【０００８】
本考案のエコーチャンバーのマウスピース構造において、管状のマウスピースは一側が斜め向けに延伸した外壁がバッフルを形成し、もう一側の結合面と、末端で交差して、上縁を形成し、結合面は上縁内側の外段で吹気口を形成し、吹気口とバッフル間は、上縁からエアーチャンバー内に第二バッフルを延伸し、バッフルとの挟角は音声が反響するエコーチャンバーを形成する。結合面は竹片を結合し、上縁と竹片の隙間からエアーチャンバーに吹入した気流は、バッフルと竹片間で相互に反響して振動周波数を生成し、再度、エコーチャンバー空間で反復して、長く、美しい自然な音を発し、楽器の吹奏が重厚で、円滑になる。
【考案の効果】
【０００９】
本考案のエコーチャンバーを有するマウスピース構造は、バッフル内に設けられた第二バッフルが形成するエコーチャンバー構造により、バッフルと竹板間の相互の反響が生成する振動周波数は、再度、エコーチャンバーで反復して、長く、美しい自然な音色を生成する。また、エコーチャンバー構造の共鳴作用により、楽器の吹奏が更に、重厚、円滑である。
【考案を実施するための最良の形態】
【００１０】
図３は本考案の立体分解図である。マウスピース２０は竹片３０と結合して構成する。
【００１１】
マウスピース２０は、金属で一体成型した管状体の一側が斜め向けに延伸した外壁がバッフル２１を形成し、もう一側の削られた結合面２２と、末端で交わって、弧状端部の上縁２３を形成し、結合面は上縁２３内側の外段で、内部がエアーチャンバー２４に連通する吹気口２４１を形成し、上縁２３からエアーチャンバー２４内に一片のバッフル２１と適当な挟角の第二バッフル２６を延伸し、バッフル２１と第二バッフル２６間の挟角は音声が反響するエコーチャンバー２７を形成する。また、図中の矢印で示されるように、金属以外の材質で成型されたその他の材質のマウスピース２０’は、第二バッフル２６’とバッフル２１’の間はエコーチャンバー２７’を形成する。
【００１２】
竹片３０は、一側が結合面３１で、もう一側が傾斜面３２の竹材片体である。
【００１３】
図４、図５は、それぞれ、本考案の金属マウスピース、その他の材質のマウスピースの組み合わせ作用の吹奏作用断面図である。図４中、竹材３０は、結合面31により、金属マウスピース２０の結合面２２を相対結合後、バッフル２１と第二バッフル２６間の挟角により、音声が反響するエコーチャンバー２７の構造を形成する。吹気口２４１が気流を吹入するとき、バッフル２１と竹片３０間は相互に反響して振動周波数を生成し、再度、エコーチャンバー２７空間で反復して、矢印で示されるように不断に旋転して、長く、美しい自然な音を形成する。エコーチャンバー２７の反響効果の共鳴作用により、楽器の吹奏が重厚で、円滑になる。図５のその他の材質のマウスピース２０’も、第二バッフル２６’とエコーチャンバー２７’により相同の吹奏効果を得ることができる。
【００１４】
図６、図７は、本考案の第二実施例による立体図と組み合わせ断面図である。金属のマウスピースを例とすると、金属マウスピース２０は、上縁２３から延伸した第二バッフル２６内端が垂直連接面２６１を形成して、バッフル２１に下向けに抵接し、垂直連接面２６１、或いは、第二バッフル２６上は、1つ、或いは、二個以上の共鳴孔２６２を貫設して、エコーチャンバー２７と連通する。更に、もう1つの気流チャンネルを形成して、異なる音声周波数を生成し、連続不断の共鳴が、更に長く、美しい自然な音色を形成し、楽器の吹奏を重厚に、円滑にする。また、矢印で示されるように、垂直連接面２６１、及び、第二バッフル２６は、同時に、1つ、或いは、二個以上の共鳴孔２６２を貫設し、エコーチャンバー２７と連通する。
【００１５】
上述のような本考案のエコーチャンバーを有するマウスピース構造は、バッフル内に設けられた第二バッフルが形成するエコーチャンバー構造により、バッフルと竹板間の相互の反響が生成する振動周波数は、再度、エコーチャンバーで反復して、長く、美しい自然な音色を生成する。また、エコーチャンバー構造の共鳴作用により、楽器の吹奏が更に、重厚、円滑である。
【図面の簡単な説明】
【００１６】
【図１】一般のサックスフォンのマウスピースの立体分解図である。
【図２】一般のサックスフォンのマウスピース吹奏の作用断面図である。
【図３】本考案の立体分解図である。
【図４】本考案の金属マウスピース吹奏の作用断面図である。
【図５】本考案のその他の材質のマウスピース吹奏の作用断面図である。
【図６】本考案の第二実施例の立体断面図である。
【図７】本考案の第二実施例の吹奏の作用断面図である。
【符号の説明】
【００１７】
１０、２０…マウスピース
１１、２１、２６…バッフル
１２、３１…結合面
１３、２３…上縁
１４、２４…エアーチャンバー
１６、３０…竹片
２７…エコーチャンバー
２４１…吹気口
２６１…垂直連接面
２６２…共鳴孔
【図１】
0003140147.tif 000003
【図２】
0003140147.tif 000004
【図３】
0003140147.tif 000005
【図４】
0003140147.tif 000006
【図５】
0003140147.tif 000007
【図６】
0003140147.tif 000008
【図７】
0003140147.tif 000009